(57)【要約】【課題】接着剤を使用せずにコアを固定したコイル部品及びインバータトランスの提供。【解決手段】一次巻線３と二次巻線４とが区分けされた状態でそれぞれ巻回された樹脂ボビン２と、樹脂ボビン２内に配置されたＩ型コア５と、基部６１と基部６１の一端及び他端からそれぞれ延出される第一腕部６２及び第二腕部６３とから略Ｕ字型に構成され、第一腕部６２の延出方向先端と第二腕部６３の延出方向先端とがＩ型コア５に当接してＩ型コア５と共に閉磁路を形成するＵ字型コア６と、樹脂ボビン２に係合して第一腕部６２をＩ型コア５側に押圧する第一固定金具７及び樹脂ボビン２に係合して第二腕部６３をＩ型コア５側に押圧する第二固定金具８と、を備えたインバータトランス１を提供する。【選択図】図２
2009212327.tif 000002
【特許請求の範囲】
【請求項１】
巻線が巻回される樹脂ボビンと、
該樹脂ボビンに保持される第一コアと、
該第一コアに当接して該第一コアと共に閉磁路を形成する第二コアと、
該樹脂ボビンに係合し該第二コアを該第一コア側に押圧する固定金具と、を備えたことを特徴とするコイル部品。
【請求項２】
該固定金具は、該樹脂ボビンに係止される係止部と、該係止部から延出され該第二コアを弾発的に付勢する付勢部と、を備えて構成されていることを特徴とする請求項１に記載のコイル部品。
【請求項３】
該第二コアは、該付勢部により付勢される被付勢壁を有し、該被付勢壁の周縁は面取加工されて構成されていることを特徴とする請求項２に記載のコイル部品。
【請求項４】
該固定金具は、該付勢部が該第二コアを付勢する付勢方向と略直交する方向に該第二コアを付勢する第一ガタ防止片を更に備えることを特徴とする請求項２または請求項３のいずれかに記載のコイル部品。
【請求項５】
該固定金具は、該付勢方向と略直交すると共に該第一ガタ防止片が該第二コアと当接する方向と略直交する方向に該第二コアを付勢する第二ガタ防止片を更に備えることを特徴とする請求項４に記載のコイル部品。
【請求項６】
該係止部には、該樹脂ボビンと係止する箇所に一又は複数の突起が設けられていることを特徴とする請求項１から請求項５のいずれか一に記載のコイル部品。
【請求項７】
一次巻線と二次巻線とが区分けされた状態でそれぞれ巻回された樹脂ボビンと、
該樹脂ボビン内に配置されたＩ型コアと、
基部と該基部の一端及び他端からそれぞれ延出される第一腕部及び第二腕部とから略Ｕ字型に構成され、該第一腕部の延出方向先端と該第二腕部の延出方向先端とが該Ｉ型コアに当接して該Ｉ型コアと共に閉磁路を形成するＵ字型コアと、
該樹脂ボビンに係合して該第一腕部を該Ｉ型コア側に押圧する第一固定金具及び該樹脂ボビンに係合して該第二腕部を該Ｉ型コア側に押圧する第二固定金具と、を備えたことを特徴とするインバータトランス。
【発明の詳細な説明】
【技術分野】
【０００１】
本発明はコイル部品に関し、特にインバータトランスとして用いられるコイル部品に関する。
【背景技術】
【０００２】
従来から、例えばノートＰＣの液晶バックライトの放電灯を点灯する為に、特許文献１に示されるようなインバータトランスが用いられている。このインバータトランスは、一次巻線と二次巻線とが巻回されたボビンにＩ型コアを貫通させ、このＩ型コアにＵ字型コアを接着剤で接着して組み合わせて構成されている。
【特許文献１】特開２００４−３１６４７号公報
【発明の開示】
【発明が解決しようとする課題】
【０００３】
Ｉ型コアにＵ字型コアを接着剤で接合するので、接着自体は容易に行われる。しかし、接着剤でＩ型コアとＵ字型コアとが接合されたインバータトランスに振動や熱が加えられた場合、接着箇所から剥離するおそれがあった。そこで本発明は、接着剤を使用せずにコアを固定したコイル部品及びインバータトランスを提供することを目的とする。
【課題を解決するための手段】
【０００４】
上記課題を解決する為に本発明は、巻線が巻回される樹脂ボビンと、樹脂ボビンに保持される第一コアと、第一コアに当接して第一コアと共に閉磁路を形成する第二コアと、樹脂ボビンに係合し第二コアを第一コア側に押圧する固定金具と、を備えたコイル部品を提供する。
【０００５】
上記構成のコイル部品において、固定金具は、樹脂ボビンに係止される係止部と、係止部から延出され第二コアを弾発的に付勢する付勢部と、を備えて構成されていることが好ましい。
【０００６】
これらのような構成によると、固定金具により第一コアと第二コアとを接合して閉磁路を形成することができる。よって第一コアと第二コアとの接合に接着剤を用いる必要が無くなり、コアを確実に固定することができる。
【０００７】
また第二コアは、付勢部により付勢される被付勢壁を有し、被付勢壁の周縁は面取加工されて構成されていることが好ましい。
【０００８】
このような構成によると、固定金具を第二コアに装着する際に、面取加工された部分に沿わせて被付勢壁上に付勢部を配置することができる。
【０００９】
また固定金具は、付勢部が第二コアを付勢する付勢方向と略直交する方向に第二コアを付勢する第一ガタ防止片を更に備えることが好ましい。
【００１０】
また固定金具は、付勢方向と略直交すると共に第一ガタ防止片が第二コアと当接する方向と略直交する方向に第二コアを付勢する第二ガタ防止片を更に備えることが好ましい。
【００１１】
このような構成によると、第二コアを付勢する方向以外においても、樹脂ボビンに対して第二コアを保持することができ、より確実にコアを固定することができる。
【００１２】
また係止部には、樹脂ボビンと係止する箇所に一又は複数の突起が設けられていることが好ましい。
【００１３】
このような構成によると、固定金具を確実に樹脂ボビンに固定することができ、固定金具の抜けを防止することができる。
【００１４】
また上記課題を解決する為に、一次巻線と二次巻線とが区分けされた状態でそれぞれ巻回された樹脂ボビンと、樹脂ボビン内に配置されたＩ型コアと、基部と基部の一端及び他端からそれぞれ延出される第一腕部及び第二腕部とから略Ｕ字型に構成され、第一腕部の延出方向先端と第二腕部の延出方向先端とがＩ型コアに当接してＩ型コアと共に閉磁路を形成するＵ字型コアと、樹脂ボビンに係合して第一腕部をＩ型コア側に押圧する第一固定金具及び樹脂ボビンに係合して第二腕部をＩ型コア側に押圧する第二固定金具と、を備えたインバータトランスを提供する。
【発明の効果】
【００１５】
本発明のコイル部品及びインバータトランスによれば、接着剤を用いずにコアを固定することができる。
【発明を実施するための最良の形態】
【００１６】
以下、本発明の実施の形態に基づくコイル部品を図１から図５に基づいて説明する。図１に示されるコイル部品であるインバータトランス１は、樹脂ボビン２と、樹脂ボビン２の表面に巻回された一次巻線３及び二次巻線４と、Ｉ型コア５と、Ｕ字型コア６と、第一固定金具７と、第二固定金具８とから主に構成されている。
【００１７】
樹脂ボビン２は、内部にＩ型コア５を保持可能に中空状に構成されており、樹脂ボビン２の表面には、一次巻線３と二次巻線４との巻回位置を区画するリブ２Ａが形成されている。樹脂ボビン２の表面であってリブ２Ａにより区画されて二次巻線４が巻回される位置には、巻回された二次巻線４を覆うカバー２１が設けられている。樹脂ボビン２において、一次巻線３が巻回される位置から二次巻線４が巻回される位置に向かう方向をｘ軸方向と定義すると共にｘ軸方向と直交する方向をそれぞれｙ軸方向、ｚ軸方向と定義し、それぞれｘｙｚ軸の矢印方向を＋方向とする。また樹脂ボビン２において、一次巻線３が巻回された側の一端近傍及び二次巻線４が巻回された側の他端近傍には、図２に示されるように、内蔵されたＩ型コア５のｙ軸方向と直交する側面及びｚ軸方向の下面の一部のみが露出する開口２ａ、２ｂがそれぞれ形成されている。樹脂ボビン２のｘ軸方向における一端及び他端には、一次巻線３及び二次巻線４がそれぞれ継線されると共に図示せぬ基板にインバータトランス１が実装される際の実装部である一次電極部２２及び二次電極部２３が配置されている。また樹脂ボビン２において、開口２ａ近傍及び開口２ｂ近傍位置には、第一固定金具７と第二固定金具８とが係止される係止部である第一溝２ｃ及び第二溝２ｄが形成されている。第一溝２ｃ及び第二溝２ｄは、鏡面状に略同一な形状に形成されており、樹脂ボビン２の側面に開口してｙ軸方向に向けて穿設されて形成されている。第一溝２ｃにおいては、図５に示されるように、第一溝２ｃの内壁を構成する一面であって、第一溝２ｃの穿設方向（ｙ軸方向）と直交する平面２Ｃを備えており、第二溝２ｄにおいても同様の平面を備えている。
【００１８】
一次巻線３と二次巻線４とは、それぞれ異径の導線から構成され、樹脂ボビン２の表面にリブ２Ａにより仕切られて、一端側と他端側とにそれぞれ巻回され、一次電極部２２及び二次電極部２３にそれぞれ継線されている。
【００１９】
Ｉ型コア５は、フェライト等の透磁性の素材からｘ軸方向を長手方向とする略長方形に形成され樹脂ボビン２内に配置されている。また図２に示されるように。Ｉ型コア５の側面であって一端側端部近傍位置と他端側端部近傍位置とは、それぞれ開口２ａ及び開口２ｂから露出している。
【００２０】
Ｕ字型コア６は、Ｉ型コア５と同じ素材であり、図２に示されるように、基部６１と基部６１の両端から延出される第一腕部６２及び第二腕部６３とから略Ｕ字型に構成されている。第一腕部６２の延出方向先端と第二腕部６３の延出方向先端とがＩ型コア５の開口２ａ及び開口２ｂから露出している側面にそれぞれ当接し、かつ樹脂ボビン２の上面を構成する壁２４と壁２５とにそれぞれ当接している。また図２に示されるように、第一腕部６２の側面には、ｙ軸方向の−側に突出する第一被係止部６２Ａが設けられ、第二腕部６３の側面には、ｙ軸方向の＋側に向かう方向に突出する第二被係止部６３Ａが設けられている。これら第一被係止部６２Ａと第二被係止部６３Ａとは鏡面状に同一な形状である為、第一被係止部６２Ａのみについて説明する。第一被係止部６２Ａには、ｙ軸方向と直交する平面である被付勢面６２Ｂを有しており、被付勢面６２Ｂの周縁は面取されて、斜面６２Ｃが形成されている。
【００２１】
第一固定金具７と第二固定金具８とは、対称な形状に構成されている為、代表として第一固定金具７について説明する。第一固定金具７は、図３に示されるように、板状の金属板が折り曲げられて構成されており、係止部７１と、付勢部７２と、第一ガタ防止片７３と、第二ガタ防止片７４とから主に構成されている。係止部７１は、第一溝２ｃ内に挿入可能に構成され、ｙ軸方向の一端側には折り曲げられて構成され先端がｙ軸方向の＋側に向けて延出される返し部７１Ａが設けられている。返し部７１Ａの先端にはｙ軸方向の＋側に向けて突出する第一突起７１Ｂ、第二突起７１Ｃが設けられている。第一突起７１Ｂ、第二突起７１Ｃは、図４に示されるように、ｚ軸方向の＋側に第一突起７１Ｂが位置し、第二突起７１Ｃに比べて第一突起７１Ｂの方がその突出量が小さく構成されている。また第一突起７１Ｂ、第二突起７１Ｃは何れも先端がｚ軸方向の−側に向かうように構成されている。よって第一突起７１Ｂ、第二突起７１Ｃは、ｚ軸方向の−側に引っ張られた時にその先端が掛止するように構成される。付勢部７２は、係止部７１のｙ軸方向の＋側から折り曲げられてｘ軸方向の＋側へ向けて延出されており、ｙ軸方向の−側に向けて付勢力を付加可能に構成されている。第一ガタ防止片７３は付勢部７２の先端部分が折り曲げられて構成されている。また第二ガタ防止片７４は係止部７１のｚ軸方向の−側の端部から折り曲げられてｘ軸方向の＋側へ延出されている。
【００２２】
Ｕ字型コア６がＩ型コア５に当接した状態で、上記構成の第一固定金具７を樹脂ボビン２に装着する際には、係止部７１をｚ軸方向の＋側に向けて押し込むように第一溝２ｃに挿入する。この時に返し部７１Ａの先端部分が平面２Ｃと当接し、かつ第一突起７１Ｂ、第二突起７１Ｃが平面２Ｃに食い込んで引っ掛かった状態になるので係止部７１は第一溝２ｃ内から抜け難くなり（ｚ軸方向の−側に移動し難くなり）、第一固定金具７を樹脂ボビン２に確実に固定することができる。また係止部７１を挿入する際に、先に小さな第一突起７１Ｂが第一溝２ｃ内に入り、その後に大きな第二突起７１Ｃが第一溝２ｃ内に入る為、第一突起７１Ｂと第二突起７１Ｃとの両方を平面２Ｃに食い込ませることができ、かつ容易に第一突起７１Ｂと第二突起７１Ｃとの両方を第一溝２ｃ内に挿入することができる。
【００２３】
係止部７１が第一溝２ｃに挿入されると同時に、付勢部７２は被付勢面６２Ｂ上に移動するが、この時に付勢部７２は斜面６２Ｃに沿って被付勢面６２Ｂ上に移動することができる。よって付勢部７２を被付勢面６２Ｂ上に容易に配置することができる。係止部７１が第一溝２ｃ内に固定され付勢部７２を被付勢面６２Ｂ上に配置することで、付勢部７２により第一腕部６２がｙ軸方向でＩ型コア５に向けて付勢され、同様に第二腕部６３もＩ型コア５に付勢されることにより、Ｉ型コア５とＵ字型コア６との間に閉磁路が形成され、Ｕ字型コア６のｙ軸方向のガタの発生が抑制されている。
【００２４】
付勢部７２が被付勢面６２Ｂ上に配置された状態で、付勢部７２の先端に位置する第一ガタ防止片７３が第一腕部６２の側面に当接する。第二固定金具８においても、第一ガタ防止片７３と同様に、第二腕部６３と当接する第一ガタ防止片を備えている為、第一固定金具７及び第二固定金具のそれぞれの第一ガタ防止片により、Ｕ字型コア６のｘ軸方向へのガタの発生が抑制される。
【００２５】
また第一固定金具７において第二ガタ防止片７４が第一被係止部６２Ａのｚ軸方向下面に当接するが、第一腕部６２（第一被係止部６２Ａ）の上面は、開口２ａ近傍の樹脂ボビン２の壁２４と当接している為、第一腕部６２は、第二ガタ防止片７４と壁２４とで狭持される。第二固定金具８においても同様の構成を採っているため、第二ガタ防止片７４により、Ｕ字型コア６はｚ軸方向のガタの発生が抑制されている。
【００２６】
よって第一固定金具７及び第二固定金具８によりＵ字型コア６を固定することにより、ｘ、ｙ、ｚ軸方向のいずれにもガタが発生せず、接着剤を用いずともＵ字型コア６をＩ型コア５に当接した状態で確実に固定することができる。
【００２７】
本発明のコイル部品及びインバータトランスは、上記した実施の形態に限定されず、特許請求の範囲に記載された範囲で種々の変形や改良が可能である。例えば第一固定金具７に換えて、図６に示されるような第一固定金具１０７を用いてもよい。
【００２８】
第一固定金具１０７においては、第一固定金具７と同様に、係止部１７１と、返し部１７１Ａと、複数の突起１７１Ｂと、付勢部１７２と、第二ガタ防止片１７４とを備えている。第二ガタ防止片１７４は、係止部１７１のｚ軸方向の下側の端部から折り曲げられてｙ軸方向に延出されており、付勢部１７２は、第二ガタ防止片１７４のｙ軸方向の他端側から折り曲げられてｚ軸方向の上側に向けて延出されている。付勢部１７２の延出方向先端には、第一固定金具７の第一ガタ防止片７３と同様の構成を採るように折り曲げられて屈曲部１７２Ａが構成されている。この第一固定金具１０７を図７に示されるように、樹脂ボビン２に装着する際、付勢部１７２が被付勢面６２Ｂ上に配置されるが、この時に、付勢部１７２の屈曲部１７２Ａが斜面６２Ｃに沿って移動する為、容易に付勢部１７２を被付勢面６２Ｂ上に配置することができる。
【図面の簡単な説明】
【００２９】
【図１】本発明の実施の形態に係るインバータトランスの斜視図。
【図２】本発明の実施の形態に係るインバータトランスの底面図。
【図３】本発明の実施の形態に係るインバータトランスの固定金具の斜視図。
【図４】本発明の実施の形態に係るインバータトランスの固定金具の側面図。
【図５】本発明の実施の形態に係るインバータトランスの部分底面図。
【図６】本発明の実施の形態の変形例に係るインバータトランスの固定金具の斜視図。
【図７】本発明の実施の形態の変形例に係るインバータトランスの部分底面図。
【符号の説明】
【００３０】
１・・インバータトランス  ２・・樹脂ボビン  ２Ａ・・リブ  ２Ｃ・・平面
２ａ・・開口  ２ｂ・・開口  ２ｃ・・第一溝  ２ｄ・・第二溝  ３・・一次巻線
４・・二次巻線  ５・・Ｉ型コア  ６・・Ｕ字型コア  ７・・第一固定金具
８・・第二固定金具  ２１・・カバー  ２２・・一次電極部  ２３・・二次電極部
２４，２５・・壁  ６１・・基部  ６２Ｃ・・斜面  ６２・・第一腕部
６２Ａ・・第一被係止部  ６２Ｂ・・被付勢面  ６３・・第二腕部
６３Ａ・・第二被係止部  ７１・・係止部  ７１Ａ・・返し部  ７１Ｂ・・第一突起
７１Ｃ・・第二突起  ７２・・付勢部  ７３・・第一ガタ防止片
７４・・第二ガタ防止片
【図１】
2009212327.tif 000003
【図２】
2009212327.tif 000004
【図３】
2009212327.tif 000005
【図４】
2009212327.tif 000006
【図５】
2009212327.tif 000007
【図６】
2009212327.tif 000008
【図７】
2009212327.tif 000009